(57)【要約】【課題】電気加熱調理器において、調理に使用する受け皿を、使用しない時に収納する場所を本体に設けて使用性を向上させる。【解決手段】外筐体１６の下部に断面略Ｌ字状の受け皿支持体１９を設け、受け皿１５の開口側を外筐体１６側に向けて受け皿支持体１９に戴置した時、受け皿１５の外周部と受け皿支持体１９間に間隙を有するように、受け皿支持体１９の先端部１９Ａで受け皿１５の底部を支持するように構成することにより、受け皿１５を使用しない時には、受け皿支持体１９に受け皿１５を戴置すると、受け皿１５の底部を受け皿支持体１９の先端部１９Ａで支持するので、受け皿１５が外筐体側１６へ倒れるようにして収納でき、使用性の優れた電気加熱調理器とすることができる。【選択図】  図１
2004340436.tif 000002
【特許請求の範囲】
【請求項１】
加熱室を形成する内筐体と、内筐体の上下に配した上、下ヒーターと、上下ヒーター間に配した焼網と、調理物を載せて焼網に戴置する皿状の受け皿と、内筐体の外部を囲う外筐体と、外筐体の下部に配した前脚、後脚とを備え、外筐体の下部に断面略Ｌ字状の受け皿支持体を設け、受け皿の開口側を外筐体側に向けて受け皿支持体に戴置した時、受け皿の外周部と受け皿支持体間に間隙を有するように、受け皿支持体の先端部で受け皿の底部を支持するようにした電気加熱調理器。
【請求項２】
受け皿支持体の外筐体側には下方に向かうほど受け皿支持体の先端部間との間隙が小さくなるテーパ部Ａを設け、前記テーパ部Ａに受け皿の上面部を当接させて外筐体と受け皿の間隙を所定距離乖離させた請求項１記載の電気加熱調理器。
【請求項３】
受け皿を受け皿支持体に戴置した時、受け皿の前後の内面と若干の間隙を有する突起部を外筐体に設けた請求項１または請求項２記載の電気加熱調理器。
【請求項４】
受け皿支持体を前脚及び後脚と一体に形成した請求項１、請求項２または請求項３記載の電気加熱調理器。
【請求項５】
加熱室を形成する内筐体と、内筐体の上下に配した上、下ヒーターと、上下ヒーター間に配した焼網と、調理物を載せて焼網に戴置する皿状の受け皿と、内筐体の外部を囲う外筐体と、外筐体の下部に配した前脚、後脚とを備え、外筐体の下部に受け皿の高さより大きな間隙を設けた断面略Ｌ字状の受け皿支持体を設け、受け皿の底面側を外筐体側に向けて受け皿支持体に戴置するようにした電気加熱調理器。
【請求項６】
受け皿支持体の外筐体側には下方に向かうほど受け皿支持体の先端部間との間隙が小さくなるテーパ部Ｂを設け、前記テーパ部Ｂに受け皿の底面を当接させて外筐体と受け皿の間隙を所定距離乖離させた請求項５記載の電気加熱調理器。
【請求項７】
受け皿支持体を前脚及び後脚と一体に形成した請求項５または請求項６記載の電気加熱調理器。
【発明の詳細な説明】
【０００１】
【発明の属する技術分野】
本発明は一般家庭用のオーブントースター等に用いる受け皿を備えた電気加熱調理器に関するものである。
【０００２】
【従来の技術】
従来、この種の電気加熱調理器は、内筐体の外部を囲う外筐体には、受け皿を収納させる構成は設けていないのが一般的な構成である（例えば、特許文献１参照）。
【０００３】
図８〜９は、前記公報に記載された従来の電気加熱調理器を示すものである。図において１は加熱室２を形成する内筐体で、内部に上、下ヒーター３、４を備えている。５は焼網で上下ヒーター３，４間に配してある。受け皿（図示無し）は調理物を載せ、焼網５の上に戴置して使用する。６は外筐体で、内筐体１の外部を囲っている。外筐体６の下部には前脚７、及び後脚８が取付けられている。
【０００４】
【特許文献１】
特開昭６２−１５３６２５号公報（第１１８頁、第３図及び第１１９頁、第５図）
【０００５】
【発明が解決しようとする課題】
しかしながら、前記従来の構成では、受け皿を使用しない時には、受け皿を収納する場所が無い為、他の場しに保管しておく必要があった。しかし受け皿を必要とする調理の際には、収納場所から出してこなければ成らず、不便であるという課題を有していた。
【０００６】
本発明は、前記従来の課題を解決するもので、受け皿の収納場所を調理器本体に設け、受け皿を使用しない時はその収納部に設置しておき、必要なときにすぐに取り出せて使えるという使用性の優れた電気加熱調理器を提供することを目的とするものである。
【０００７】
【課題を解決するための手段】
前記従来の課題を解決するために、本発明の電気加熱調理器は、内筐体の外部を囲う外筐体の下部に断面略Ｌ字状の受け皿支持体を設け、受け皿の開口側を外筐体側に向けて受け皿支持体に戴置した時、受け皿の外周部と受け皿支持体間に間隙を有するように、受け皿支持体の先端部で受け皿の底部を支持するようにした構成としたものである。
【０００８】
これによって、受け皿を使用しない時は受け皿を外筐体側部に設けた受け皿支持体に戴置すると、受け皿の底部を受け皿支持体の先端部で支持するので、受け皿が外筐体側へ倒れるようにして収納できる構成と成る。
【０００９】
【発明の実施の形態】
請求項１記載の発明は、加熱室を形成する内筐体と、内筐体の上下に配した上、下ヒーターと、上下ヒーター間に配した焼網と、調理物を載せて焼網に戴置する皿状の受け皿と、内筐体の外部を囲う外筐体と、外筐体の下部に配した前脚、後脚とを備え、外筐体の下部に断面略Ｌ字状の受け皿支持体を設け、受け皿の開口側を外筐体側に向けて受け皿支持体に戴置した時、受け皿の外周部と受け皿支持体間に間隙を有するように、受け皿支持体の先端部で受け皿の底部を支持するようにした構成とすることにより、受け皿を使用しない時には、受け皿支持体に受け皿を戴置すると、受け皿の底部を受け皿支持体の先端部で支持するので、受け皿が外筐体側へ倒れるようにして収納できる使用性の高い構成とすることができる。
【００１０】
請求項２記載の発明は、特に、請求項１に記載の電気加熱調理器を、受け皿支持体の外筐体側には下方に向かうほど受け皿支持体の先端部間との間隙が小さくなるテーパ部Ａを設け、このテーパ部Ａに受け皿の上面部を当接させて外筐体と受け皿の間隙を所定距離乖離させた構成とすることにより、受け皿を受け皿支持体に戴置すると、受け皿の下方はテーパ部Ａにより外筐体と受け皿の間隙が一定距離乖離するので、受け皿の収納性が安定することなり、更に使いやすい電気加熱調理器とすることができる。
【００１１】
請求項３記載の発明は、特に、請求項１及び２に記載の電気加熱調理器を、受け皿を受け皿支持体に戴置した時、受け皿の前後の内面と若干の間隙を有する突起部を外筐体に設けた構成とすることにより、受け皿の収納後受け皿の前後方向の位置を突起が規制することとなり、受け皿の収納が安全で使い易い電気加熱調理器とすることができる。
【００１２】
請求項４記載の発明は、特に、請求項１、２及び３に記載の電気加熱調理器を受け皿支持体を前脚及び後脚と一体に形成した構成とすることにより、安価な構成とすることができる。
【００１３】
請求項５記載の発明は、加熱室を形成する内筐体と、内筐体の上下に配した上、下ヒーターと、上下ヒーター間に配した焼網と、調理物を載せて焼網に戴置する皿状の受け皿と、内筐体の外部を囲う外筐体と、外筐体の下部に配した前脚、後脚とを備え、外筐体の下部に受け皿の高さより大きな間隙を設けた断面略Ｌ字状の受け皿支持体を設け、受け皿の底面側を外筐体側に向けて受け皿支持体に戴置するようにした構成とすることにより、受け皿を使用しない時には、受け皿支持体に受け皿を戴置すると、受け皿の外周部を受け皿支持体で支持するので、受け皿の重心が外筐体側へあるので、受け皿は外筐体側へ倒れるようにして収納できる構成とすることができる。
【００１４】
請求項６記載の発明は、特に、請求項５に記載の電気加熱調理器を、受け皿支持体の外筐体側には下方に向かうほど受け皿支持体の先端部間との間隙が小さくなるテーパ部Ｂを設け、このテーパ部Ｂに受け皿の底面を当接させて外筐体と受け皿の間隙を所定距離乖離させた構成とすることにより、受け皿を受け皿支持体に戴置すると、受け皿の下方はテーパ部Ｂにより外筐体と受け皿の間隙が所定距離乖離するので、受け皿の収納性が安定することなり、更に使いやすい電気加熱調理器とすることができる。
【００１５】
請求項７記載の発明は、特に、請求項５及び６に記載の電気加熱調理器を受け皿支持体を前脚及び後脚と一体に形成した構成とすることにより、安価な構成とすることができる。
【００１６】
【実施例】
以下本発明の実施例について、図面を参照しながら説明する。
【００１７】
（実施例１）
図１〜４は、本発明の第１の実施例における電気加熱調理器の縦断面図及び横断面図を示すものである。
【００１８】
図１〜４において、１１は加熱室１０を形成する内筐体で、内筐体１１の上下に配した上、下ヒーター１２，１３と、上下ヒーター１２，１３間に配した焼網１４と、調理物を載せて焼網１４に戴置する皿状の受け皿１５と、内筐体１１の外部を囲う外筐体１６と、外筐体１６の下部に配した前脚、後脚１７、１８から成り、外筐体の下部に断面略Ｌ字状の受け皿支持体１９を設け、受け皿１５の開口側を外筐体１６側に向けて受け皿支持体１９に戴置した時、受け皿１５の外周部と受け皿支持体１９間に間隙を有するように、受け皿支持体１９の先端部１９Ａで受け皿１５の底部を支持するようにしている。受け皿支持体１９の外筐体側１６には下方に向かうほど受け皿支持体１９の先端部間との間隙が小さくなるテーパ部Ａ１９Ｂを設け、このテーパ部Ａ１９Ｂに受け皿１５の上面部を当接させて外筐体１６と受け皿１５の間隙を一定距離乖離させている。外筐体１６には、受け皿１５を受け皿支持体１９に戴置した時、受け皿１５の前後の内面と若干の間隙を有する突起部１６Ａを外筐体１６に設けている。
【００１９】
また受け皿支持体１９は前脚１７及び後脚１８とそれぞれ一体に形成した電気加熱調理器を構成している。
【００２０】
以上のように構成された電気加熱調理器について、以下その動作、作用を説明する。
【００２１】
まず、受け皿１５を使用しない時には、受け皿支持体１９に受け皿１５を戴置すると、受け皿１５の底部を受け皿支持体１９の先端部１９Ａで支持するので、受け皿１５が外筐体側１６へ倒れるようにして収納できることとなる。
【００２２】
更に受け皿支持体１９の外筐体側１６には下方に向かうほど受け皿支持体１９の先端部間との間隙が小さくなるテーパ部Ａ１９Ｂを設け、このテーパ部Ａ１９Ｂに受け皿１５の上面部を当接させて外筐体１６と受け皿１５の間隙を一定距離乖離させているので、受け皿１５が外筐体側１６へ確実に倒れるようにして収納できることなる。
【００２３】
受け皿１５を受け皿支持体１９に戴置した時、外筐体１６に設けた突起部１６Ａにより、受け皿１５の前後の位置を規制している。
【００２４】
また受け皿支持体１９は前脚１７及び後脚１８とそれぞれ一体に形成したことにより、安価な構成としている。
【００２５】
以上のように、本実施例においては受け皿１５を使用しない時の収納場所を外筐体に設けることにより使用性の高い構成とすることとなり、しかも受け皿１５受け皿支持体１９に戴置するだけで、受け皿１５が外筐体１６へ倒れて安定した収納ができる、使いやすい電気加熱調理器とすることができる。
【００２６】
（実施例２）
図５〜７は、本発明の第２の実施例における電気加熱調理器の縦断面図及び横断面図を示すものである。
【００２７】
図５〜７において、１１は加熱室１０を形成する内筐体で、内筐体１１の上下に配した上、下ヒーター１２，１３と、上下ヒーター１２，１３間に配した焼網１４と、調理物を載せて焼網１４に戴置する皿状の受け皿１５と、内筐体１１の外部を囲う外筐体１６と、外筐体１６の下部に配した前脚、後脚１７、１８から成り、外筐体１６の下部に受け皿１５の高さより大きな間隙を設けた断面略Ｌ字状の受け皿支持体１９を設け、受け皿１５の底面側を外筐体１６側に向けて受け皿支持体１９に戴置するようにしている。受け皿支持体１９の外筐体１６側には下方に向かうほど受け皿支持体１９の先端部間との間隙が小さくなるテーパ部Ｂ１９Ｃを設け、このテーパ部Ｂ１９Ｃに受け皿１５の底面を当接させて外筐体１６と受け皿１５の間隙を一定距離乖離させている。受け皿支持体１９は前脚１７及び後脚１８とそれぞれ一体に形成した電気加熱調理器を構成している。
【００２８】
以上のように構成された電気加熱調理器について、以下その動作、作用を説明する。
【００２９】
まず、受け皿１５を使用しない時には、受け皿支持体１９に受け皿１５を戴置すると、受け皿１５の外周部を受け皿支持体１９の底部に戴置され、先端部で外方への滑りを防止して支持するので、受け皿１５が外筐体側１６へ倒れるようにして収納できることとなる。
【００３０】
更に受け皿支持体１９の外筐体側１６には下方に向かうほど受け皿支持体１９の先端部間との間隙が小さくなるテーパ部Ｂ１９Ｃを設け、このテーパ部Ｂ１９Ｃに受け皿１５の底面部を当接させて外筐体１６と受け皿１５の間隙を一定距離乖離させているので、受け皿１５が外筐体側１６へ確実に倒れるようにして収納できることとなる。
【００３１】
また受け皿支持体１９は前脚１７及び後脚１８とそれぞれ一体に形成したことにより、安価な構成としている。
【００３２】
以上のように、本実施例においても受け皿１５を使用しない時の収納場所を外筐体に設けることにより使用性の高い構成とすることとなり、しかも受け皿１５受け皿支持体１９に戴置するだけで、受け皿１５が外筐体１６へ倒れて安定した収納ができる、使いやすい電気加熱調理器とすることができる。
【００３３】
【発明の効果】
以上のように本発明によれば、外筐体の下部に断面略Ｌ字状の受け皿支持体を設け、受け皿の開口側を外筐体側に向けて受け皿支持体に戴置した時、受け皿の外周部と受け皿支持体間に間隙を有するように、受け皿支持体の先端部で受け皿の底部を支持するようにした構成とすることにより、受け皿を使用しない時には、受け皿支持体に受け皿を戴置すると、受け皿の底部を受け皿支持体の先端部で支持するので、受け皿が外筐体側へ倒れるようにして収納できる使用性の高い電気加熱調理器を提供する０することができる。
【図面の簡単な説明】
【図１】本発明の実施例１における電気加熱調理器の正面図
【図２】同電気加熱調理器の横断面図
【図３】同電気加熱調理器の側面図
【図４】同電気加熱調理器の側面図
【図５】本発明の実施例２における電気加熱調理器の正面図
【図６】同電気加熱調理器の側面図
【図７】同電気加熱調理器の側面図
【図８】従来の電気加熱調理器の外観斜視図
【図９】同電気加熱調理器の横断面図
【符号の説明】
１０  加熱室
１１  内筐体
１２  上ヒーター
１３  下ヒーター
１４  焼網
１５  受け皿
１６  外筐体
１７  前脚
１８  後脚
１９  受け皿支持体
１９Ａ  先端部
１９Ｂ  テーパ部Ａ
１６Ａ  突起部
１９Ｃ  テーパ部Ｂ
【図１】
2004340436.tif 000003
【図２】
2004340436.tif 000004
【図３】
2004340436.tif 000005
【図４】
2004340436.tif 000006
【図５】
2004340436.tif 000007
【図６】
2004340436.tif 000008
【図７】
2004340436.tif 000009
【図８】
2004340436.tif 000010
【図９】
2004340436.tif 000011